(57)【要約】【課題】室外機は屋外に設置され、使用者から見えにくいところに置かれるため、室外機と室内機とを接続する配管や配線を切断し、室外機が盗難されることがあった。【解決手段】室内機と室外機を備えた空気調和機であって、報知手段を有し、前記室外機への電力の供給が、供給状態から非供給状態に変化すると前記報知手段が報知を行うもので、空気調和機利用者は盗難時にすばやくそのことを認識することができ、盗難を防止することができる。【選択図】図１
2018044697.tif 000002
【特許請求の範囲】
【請求項１】
室内機と室外機とを備え、前記室内機と前記室外機とが内外接続線で接続された空気調和機であって、該空気調和機は報知手段を有し、前記室外機への電力の供給が、供給状態から非供給状態に変化すると、前記報知手段が報知を行うことを特徴とする空気調和機。
【請求項２】
現在位置を確認できるＧＰＳと、前記ＧＰＳと前記通信手段への電力を供給するバッテリーを室外機に備えたことを特徴とする請求項１記載の空気調和機。
【請求項３】
電力の供給状況を把握する通電状況把握手段と、時間を計測するタイマーとを備え、前記室外機への電力の供給がなくなった後一定時間毎に、ＧＰＳで位置情報を確認し、その位置情報を外部に通信することを特徴とする請求項２に記載の空気調和機。
【請求項４】
振動を検知する振動検知手段と、時間を計測するタイマーとを備え、前記振動検知手段が所定以上の振動を検知した後一定時間毎に、ＧＰＳで位置情報を確認し、その位置情報を外部に通信することを特徴とする請求項２に記載の空気調和機。
【発明の詳細な説明】
【技術分野】
【０００１】
本発明は空気調和機に関するものである。
【背景技術】
【０００２】
従来、この種の空気調和機としては、例えば、特許文献１（特開２００９−２５７６１３号公報）に開示されたものが知られている。
【０００３】
特許文献１に開示された空気調和機は、室内機及び室外機と、これらを共に接続する配管とを備え、配管の圧力を検知する圧力検知手段と、音を発する音響装置とを有し、配管内の圧力が大気圧になったことを圧力検知手段が検知すると音響装置を作動させるもので、室外機全体及びその部品が盗難されるのを防止することができる。
【先行技術文献】
【特許文献】
【０００４】
【特許文献１】特開２００９−２５７６１３号公報
【発明の概要】
【発明が解決しようとする課題】
【０００５】
しかしながら前記従来の構成では、配管内の圧力が大気圧になるまでに多少の時間を要するため、盗難のために配管が切断されても、すぐに音が発せられないという課題があった。
【課題を解決するための手段】
【０００６】
前記従来の課題を解決するために、本発明の空気調和機は、室内機と室外機とを備え、報知手段を有し、室外機への電力の供給が、供給状態から非供給状態に変化すると報知手段が報知を行うものである。
【０００７】
これによって、室外機を盗難するために室外機に電力を供給する電源線が切断された場合に、すぐにそのことを検知し報知を行うもので、空気調和機利用者は盗難時にすばやくそのことを認識することができる。
【０００８】
加えて、現在の位置を確認できるＧＰＳと、このＧＰＳで得られた位置情報を外部に伝えるための通信手段と、電力の供給が失われた状態でもＧＰＳで位置を確認したり通信手段でその位置情報を外部に通信したりするためのバッテリーとを、室外機に備えたもので、盗難にあった後、その室外機の行方を特定することができる。
【発明の効果】
【０００９】
本発明の空気調和機は、室外機が盗難される際にすばやくそのこと認識することができる。また、室外機が盗難にあった後その行方を特定することができる。
【図面の簡単な説明】
【００１０】
【図１】本発明の実施の形態１における空気調和機の室外機と室内機の斜視図
【図２】本発明の実施の形態２における空気調和機の室外機と室内機の斜視図
【図３】本発明の実施の形態３における空気調和機の室外機と室内機の斜視図
【図４】本発明の実施の形態４における空気調和機の室外機と室内機の斜視図
【発明を実施するための形態】
【００１１】
第１の発明は、室内機と室外機とを備え、前記室内機と前記室外機とが内外接続線で接続された空気調和機であって、該空気調和機は報知手段を有し、前記室外機への電力の供給が、供給状態から非供給状態に変化すると、前記報知手段が報知を行うもので、室外機を盗難するために室外機に電力を供給する電源線が切断された場合に、すぐにそのことを検知し報知を行うので、空気調和機利用者は盗難時にすばやくそのことを認識することができる。
【００１２】
第２の発明は、現在位置を確認できるＧＰＳと、前記ＧＰＳと前記通信手段への電力を供給するバッテリーを室外機に備えたもので、盗難され、室外機に電源供給がされなくなった後でも、該室外機の行方を特定することができる。
【００１３】
第３の発明は、電力の供給状況を把握する通電状況把握手段と、時間を計測するタイマーとを備え、前記室外機への電力の供給がなくなった後一定時間毎に、ＧＰＳで位置情報を確認し、その位置情報を外部に通信するもので、盗難等によって室外機の場所が移動された場合でもその室外機の行方を特定することができる。
【００１４】
第４の発明は、振動を検知する振動検知手段と、時間を計測するタイマーとを備え、前記振動検知手段が所定以上の振動を検知した後一定時間毎に、ＧＰＳで位置情報を確認し、その位置情報を外部に通信するもので、盗難等によって室外機の場所が移動された場合でもその室外機の行方を特定することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の室外機と室内機の斜視図である。
【００１７】
図１において、室内機１と室外機２には互いに、冷媒搬送し合うための冷媒配管３が接続されている。また電力は、電源４から室内機１の室内機用制御ユニット５に供給され、室内機用制御ユニット５から、内外接続線６によって室外機２の室外機用制御ユニット７に供給される。室外機２には、内外接続線６が切断された場合など、室内機１から室外機２への電力の供給が遮断した場合でも、室外機２に出力を供給し続けるためのバッテリー８と、室内機１から室外機２への電力の供給が遮断した場合に報知を行う室外側報知手段９が設けられている。
【００１８】
以上のように構成された空気調和機について、以下その動作、作用を説明する。
【００１９】
内外接続線６が切断された場合など、室内機１から室外機２への電力の供給が遮断した場合、室外機２への電力供給源は、自動的に内外接続線６から、バッテリー８に切り替えられ、同時に室外側報知手段９が報知を行う。室外側報知手段９としては、例えば報知音を鳴らすスピーカーやベルの他、光を発するライト、点灯装置（ＬＥＤ含む）などがある。
【００２０】
これによって、盗難のため内外接続線６が切断されると、すぐに室外側報知手段９が報知を行うので、盗難犯に脅威を与えることができ、盗難を防止することが可能となる。
【００２１】
報知を機械的な原理で駆動実施する場合は、必ずしもバッテリー８は必要としない。
【００２２】
また、室外機２への電力の供給が、室内機１を経て内外接続線６によって供給される場
合だけでなく、電源４から室外機２に直接、電源線によって電力供給が行われる場合でも同様の効果が得られる。
【００２３】
（実施の形態２）
図２は、本発明の第２の実施の形態における空気調和機の室外機と室内機の斜視図である。実施の形態１とは異なる部分についてのみ説明する。
【００２４】
図２において、１０は室内側報知手段である。
【００２５】
以上のように構成された空気調和機について、以下その動作、作用を説明する。
【００２６】
電源４から室内機１の室内機用制御ユニット５に電力が供給され、室内機用制御ユニット５から、内外接続線６によって室外機２の室外機用制御ユニット７に供給される中で、室外機２への電力の供給が遮断されると、室内機用制御ユニット５がそのことを検知して室内側報知手段１０が室内に向けて報知を行う。
【００２７】
以上のように内外接続線６が切断されると、すぐに室内側報知手段１０が報知を行うので、盗難の場合、盗難犯に脅威を与えることができ、盗難を防止することが可能となる。なお、報知は音によるものでも、光によるものでもいずれでも、あるいは両方でも良い。
【００２８】
ここで、室内側報知手段１０で報知を行う場合は、室外側報知手段９で報知を行う場合とは異なり、室内機１には電源４からの電力の供給があるため、報知を行うために電力を必要とする場合でも、バッテリー８を備える必要はない。また、報知を行う条件として、室内機１に電力が供給されている時に室外機２への電力の供給の遮断がなされた場合に限定すれば、例えば停電時のように、室内機への電力の供給がストップした場合を盗難と誤って報知することを防げる。
【００２９】
また、報知を行う際、室内側報知手段１０と、室外側報知手段９の両方が報知を行うと、より効果的である。
【００３０】
（実施の形態３）
図３は、本発明の第３の実施の形態における空気調和機の室外機と室内機の斜視図である。実施の形態１、２とは異なる部分についてのみ説明する。
【００３１】
図３において、１１は人工衛星からの信号の受信によって現在位置を特定できるＧＰＳ、１２は位置や時間などの情報を外部に知らせるための通信手段である。なお、室外機用制御ユニット７には、通電状況把握手段と時間を計測するタイマーや時刻を把握する時計（いずれも図示せず）が備えられている。
【００３２】
以上のように構成された空気調和機について、以下その動作、作用を説明する。
【００３３】
室外機２への電力の供給が遮断されると通電状況把握手段がそのことを認識し、タイマーが時間の計測をスタートさせると共に、電力供給源が自動でバッテリー８に切り替わる。
【００３４】
タイマーが計測をスタートすると、一定時間毎（例えば１時間毎）に、室外機用制御ユニット７は、ＧＰＳ１１によって、現在位置を把握し、その位置情報とその時のタイマー時間（電力供給が遮断されてからの経過時間）、あるいは時刻といった情報を通信手段１２で所定の通信先に連絡する。
【００３５】
通信手段１２が室外機２の位置や時間の情報を通信する通信先としては、例えば所定のサーバー宛にメールで送付する他、空気調和機の利用者が所有する携帯電話、スマートフォンといった情報端末宛やパソコンに送付する方法がある。
【００３６】
一方、空気調和機の利用者は、室外機２が盗難にあったことを認識すると、上記所定の通信先にアクセスすることで、一定時間毎（例えば１時間毎）の室外機２の位置と時間を把握することができる。この情報をもとに、自分でその場所を突き止めたり、あるいは警察に連絡して、盗難発生の証拠に利用することができる。この結果、盗まれた室外機２を取り戻したり、盗難犯を逮捕するのに協力することが可能になる。
【００３７】
この他、土砂崩れ等の自然災害などで、室外機２を紛失した場合でも、上記と同様の方法でその位置を特定することができる。
【００３８】
タイマーを用いれば一定時間毎に断続的に位置の検知と通信とを行うことができるので、連続的にそれを行う場合に比べて、バッテリー８の消費を抑えることが可能で、より長い時間にわたって、位置を発信し続けることができる。
【００３９】
空気調和機の利用者が上記の位置情報や時間情報を入手する方法としては、例えば位置や時間の情報が通信手段１２によって所定のサーバー宛にメールで送付されそこに保存される場合は、利用者は、そのサーバーに特定のアクセスＩＤや暗号を用いた上で、携帯電話やスマートフォンなどの市販の情報端末やパソコンからアクセスすれば、第三者に見られることなく上記位置や時間の情報確認することができる。また、位置や時間の情報が直接、携帯電話やスマートフォンなどの市販の情報端末やパソコンにメールで送付される場合は、メールを開くことでこれらの情報を入手することができるので、情報端末やパソコンへのメールの着信がすぐに確認できる環境下であれば、より短時間で室外機２が盗難等で本来の場所と異なる場所に移動したことを把握することができる。なおこの場合も、送付されたメールや上記情報にアクセスする際に、アクセスＩＤや暗号を用いた上でアクセスできるようにしていれば、第三者にこれらの情報を見られるのを防ぐことができる。
【００４０】
（実施の形態４）
図４は、本発明の第４の実施の形態における空気調和機の室外機と室内機の斜視図である。実施の形態１〜３と異なる部分についてのみ説明する。
【００４１】
図４において、１３は振動検知手段である。振動検知手段１３が所定以上の振動を検知すると、時間を計測するタイマー（図示せず）がスタートし、一定時間毎（例えば１時間毎）に、室外機用制御ユニットは、ＧＰＳによって、現在位置を把握し、その位置情報を通信手段で、所定の通信先に連絡する。これによって空気調和機の利用者は、室外機が盗難にあった場合や自然災害等で室外機２を紛失した場合でも、一定時間毎（例えば１時間毎）の室外機の位置を把握することができる。振動検知手段１３の構成としては、加速度センサや圧電センサを用いた構成が考えられる。
【産業上の利用可能性】
【００４２】
以上のように、本発明にかかる空気調和機は、通常屋外に設置される室外機の盗難防止に関わるもので、商品である空気調和機の室外機の他、空気調和機の一部として屋外に設置された部品、設備にも適用できる。
【符号の説明】
【００４３】
１  室内機
２  室外機
４  電源
５  室内機用制御ユニット
６  内外接続線
７  室外機用制御ユニット
８  バッテリー
９  室外側報知手段
１０  室内側報知手段
１１  ＧＰＳ
１２  通信手段
１３  振動検知手段
【図１】
2018044697.tif 000003
【図２】
2018044697.tif 000004
【図３】
2018044697.tif 000005
【図４】
2018044697.tif 000006